(57)【特許請求の範囲】
【請求項１】
複数のノード間で光伝送路を介して光主信号の伝送を行う光伝送システムであって、
各ノードは、
前記光伝送路からの光受信レベルおよび前記光伝送路への光送信レベルを測定する光レベルモニタと、
前記光レベルモニタにより測定された光レベル情報を所定時間ごとに記憶する記憶部と、
他ノードの光レベル情報を取得する取得部と、
光主信号の符号誤りを検出する符号誤り検出部と、
自ノードの前記符号誤り検出部により光主信号の符号誤りが検出された場合に、前記記憶部に記憶された自ノードの光レベル情報および前記取得部により取得された他ノードの光レベル情報を履歴として保存する履歴保存部と、
を備えることを特徴とする光伝送システム。
【請求項２】
光レベル情報は、光主信号とは波長の異なる監視制御信号を用いて各ノード間で通信されることを特徴とする請求項１に記載の光伝送システム。
【請求項３】
各ノードは、前記記憶部に記憶した自ノードの光レベル情報を他ノードの取得部に送信する送信部をさらに備えることを特徴とする請求項１または２に記載の光伝送システム。
【請求項４】
各ノードは、隣接する２つのノードと接続されており、
各ノードの前記取得部は、隣接する一方のノードから取得した光レベル情報を、隣接する他方のノードに転送することを特徴とする請求項３に記載の光伝送システム。
【請求項５】
前記履歴保存部は、符号誤り検出前後の所定期間における各ノードの光レベル情報を履歴として保存することを特徴とする請求項１から４のいずれかに記載の光伝送システム。
【請求項６】
前記光レベル情報は、前記所定時間における光受信レベルと光送信レベルの最大値および最小値を含むことを特徴とする請求項１から５のいずれかに記載の光伝送システム。
【請求項７】
各ノードの前記取得部は、自ノードの前記符号誤り検出部により光主信号の符号誤りが検出された場合に、他ノードに対して光レベル情報を要求し、
要求を受けた他ノードの送信部は、自ノードの光レベル情報を送信することを特徴とする請求項１から６のいずれかに記載の光伝送システム。
【発明の詳細な説明】
【技術分野】
【０００１】
本発明は、光伝送路を介して光信号の送受信を行う光伝送システムに関する。
【背景技術】
【０００２】
近年、インターネットの急激な普及に伴い、一本の光ファイバに複数の波長の光信号を一括して伝送する波長分割多重（ＷＤＭ：Wavelength Division Multiplexing）光伝送システムの開発・導入が進んでいる。現在、一波長当たりの伝送速度は２．４Ｇｂｐｓから１０Ｇｂｐｓが主流であるが、さらに増え続ける情報伝送需要に対応するため、４０Ｇｂｐｓ等のより高速な伝送速度が採用され始めている。
【０００３】
このようなＷＤＭ光伝送システムは、信号を光のまま多段中継するシステムであるため、各ノードの光レベルをモニタすることにより、伝送区間における障害の有無を検出している。ＷＤＭ光伝送システムでは、一般的に、１５分や１日の一定周期でのパフォーマンスモニタ情報を収集している。このパフォーマンスモニタ情報は、一定周期内での光レベルの最大値や最小値を含み、各ノードで保存される。伝送区間での光レベル低下によりトランスポンダで符号誤り（エラー）が検出された場合、ネットワークの保守者は、符号誤り検出時刻近辺での各ノードのパフォーマンスモニタ情報を確認することにより、障害発生箇所を特定できる。また、特許文献１には、１５分または１日の間での最大値や最小値とともに、その発生時刻を履歴として残すようにした光伝送装置が開示されている。
【先行技術文献】
【特許文献】
【０００４】
【特許文献１】特開２００９−２１３０８０号公報
【発明の概要】
【発明が解決しようとする課題】
【０００５】
しかしながら、上記のような従来の技術では、１５分や１日の間に複数回の光レベル低下が発生した場合には、該光レベル低下と符号誤りとの正確な関連性を確認することは容易ではない。また、各ノードにおける光レベルの最大値、最小値およびその発生時刻の履歴は、各ノードにそれぞれ記憶されているため、あるノードにおいて符号誤りが発生した場合、ネットワークの保守者は、ネットワーク内の全ノードに対してパフォーマンスモニタ情報の履歴を収集する必要があり、障害発生箇所の特定に時間を要していた。
【０００６】
本発明はこうした状況に鑑みてなされたものであり、その目的は、障害が発生した箇所の特定を容易とすることのできる光伝送システムを提供することにある。
【課題を解決するための手段】
【０００７】
上記課題を解決するために、本発明のある態様の光伝送システムは、複数のノード間で光伝送路を介して光主信号の伝送を行う光伝送システムである。各ノードは、光伝送路からの光受信レベルおよび光伝送路への光送信レベルを測定する光レベルモニタと、光レベルモニタにより測定された光レベル情報を所定時間ごとに記憶する記憶部と、他ノードの光レベル情報を取得する取得部と、光主信号の符号誤りが検出された場合に、各ノードの光レベル情報を履歴として保存する履歴保存部とを備える。
【０００８】
この態様によると、符号誤り検出時における各ノードの光レベル情報の履歴が保存されるので、ネットワークの保守者は、該履歴を参照して符号誤りと光レベルとの関連性を容易に確認することができる。また、例えばあるノードで符号誤りが発生した場合に、そのノードに保存された履歴を参照するだけで各ノードの光レベル情報が収集できるので、障害発生箇所の特定を迅速且つ容易に行うことができる。
【０００９】
光レベル情報は、光主信号とは波長の異なる監視制御信号を用いて各ノード間で通信されてもよい。
【００１０】
各ノードは、記憶部に記憶した自ノードの光レベル情報を他ノードの取得部に送信する送信部をさらに備えてもよい。また、各ノードは、隣接する２つのノードと接続されており、各ノードの取得部は、隣接する一方のノードから取得した光レベル情報を、隣接する他方のノードに転送してもよい。これにより、各ノードは、他ノードの光レベル情報を取得できる。
【００１１】
履歴保存部は、符号誤り検出前後の所定期間における各ノードの光レベル情報を履歴として保存してもよい。この場合、瞬間的な光レベル変動により符号誤りが発生したのか、または継続的な光レベル変動により符号誤りが発生したのかを特定できるとともに、各ノードでの情報転送遅延が生じた場合にも、障害発生箇所の特定が可能となる。
【００１２】
光レベル情報は、所定時間における光受信レベルと光送信レベルの最大値および最小値を含んでもよい。これにより、瞬間的な光レベル変動に対しても障害解析が可能となる。
【００１３】
各ノードの取得部は、光主信号の符号誤りが検出された場合に、他ノードに対して光レベル情報を要求し、要求を受けた他ノードの送信部は、自ノードの光レベル情報を送信してもよい。このような構成とすることで、通常運用時には不要な情報の転送が行われないので、光伝送路や装置の負荷を低減することができる。
【００１４】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１５】
本発明によれば、障害が発生した箇所の特定を容易とすることのできる光伝送システムを提供できる。
【図面の簡単な説明】
【００１６】
【図１】本発明の実施形態に係る光伝送システムの構成を示す図である。
【図２】ＯＡＤＭ装置の構成を示す図である。
【図３】中継装置の構成を示す図である。
【図４】ＯＡＤＭ装置の制御部の構成を説明するための図である。
【図５】具体的な光レベル情報の転送例を説明するための図である。
【図６】光レベル情報の具体例を示す図である。
【図７】他ノードから光レベル情報を受信したときの処理を説明するためのフローチャートである。
【図８】光レベル履歴の例を示す図である。
【図９】第３ＯＡＤＭ装置の取得部に保存された光レベル情報のデータ構成を示す図である。
【図１０】光レベル情報の別の具体例を示す図である。
【発明を実施するための形態】
【００１７】
図１は、本発明の実施形態に係る光伝送システム１００の構成を示す図である。図１に示すように、光伝送システム１００は、第１ＯＡＤＭ（Optical Add-Drop Multiplexer）装置１０ａと、第２ＯＡＤＭ装置１０ｂと、第３ＯＡＤＭ装置１０ｃと、中継装置（ＩＬＡ：In-Line Amplifier）２０とを備える。これらの装置は、光伝送路３０を用いてリング状に接続されており、光リングネットワークを構成している。
【００１８】
本実施形態においては、図１に示すように、第１ＯＡＤＭ装置１０ａから時計回りに第２ＯＡＤＭ装置１０ｂ、第３ＯＡＤＭ装置１０ｃ、中継装置２０の順で各装置がリング状に接続されている。光リングネットワークを構成する各装置は「ノード」とも呼ばれる。本実施形態では、ノードの例として、ＯＡＤＭ装置と中継装置を説明するが、ノードの種類は特に限定されない。
【００１９】
図２は、ＯＡＤＭ装置の構成を示す図である。図２に示すように、ＯＡＤＭ装置１０は、光アンプ部１１Ｗ，１１Ｅと、多重分離部１２Ｗ，１２Ｅと、スイッチ部１３Ｗ，１３Ｅと、トランスポンダ部（ＴＲＰＮ）１４Ｗ，１４Ｅと、ＯＳＣ（Optical Supervisory Channel）部１５Ｗ，１５Ｅと、光レベルモニタ部１６Ｗ，１６Ｅと、制御部１７と、を備える。なお、ＯＡＤＭ装置１０の構成要素の符号には、図２の上方を北としたときに西（Ｗｅｓｔ）側に位置するものに「Ｗ」を、東（Ｅａｓｔ）側に位置するものに「Ｅ」を付してある。ＯＡＤＭ装置１０は、Ｗｅｓｔ側に接続されたノードおよびＥａｓｔ側に接続されたノードと通信可能である。
【００２０】
光アンプ部１１Ｗ，１１Ｅは、波長多重された光信号（以下、ＷＤＭ信号とも呼ぶ）を受信して増幅するとともに、ＷＤＭ信号を増幅して送信する機能を有する。多重分離部１２Ｗ，１２Ｅは、トランスポンダ部１４Ｗ，１４Ｅからのナローバンド（Narrow Band）光を多重するとともに、多重された光を分離する。スイッチ部１３Ｗ，１３Ｅは、ナローバンド光をアド／ドロップ／スルー（Add/Drop/Through）する機能を有する。トランスポンダ部１４Ｗ，１４Ｅは、クライアント信号を一旦電気信号に変換し、ナローバンド光に変換するとともに、ナローバンド光からワイドバンド（Wide Band）光へ変換する。トランスポンダ部１４Ｗ，１４Ｅは、受信した光主信号の符号誤りを測定する機能を有する。ＯＳＣ部１５Ｗ，１５Ｅは、監視制御信号を隣接するノードと送受信する。この監視制御信号は、装置の制御・監視などに使用される信号である。監視制御信号としては、光主信号とは異なる波長の光信号が用いられる。光レベルモニタ部１６Ｗ，１６Ｅは、光アンプ部１１Ｗ，１１Ｅの送受信部に位置し、ＯＡＤＭ装置１０に入力されるＷＤＭ信号の光受信レベルおよびＯＡＤＭ装置１０から出力されるＷＤＭ信号の光送信レベルを測定する。以下においては適宜、「光受信レベル」と「光送信レベル」を総称して単に「光レベル」と呼ぶ。光レベルモニタ部１６Ｗ，１６Ｅは、フォトダイオードおよびその駆動回路を用いて構成することができる。制御部１７は、ＯＡＤＭ装置１０の各部に対する設定制御や監視を実施し、監視制御信号を介して隣接ノードと監視制御用通信を行う。
【００２１】
図３は、中継装置の構成を示す図である。中継装置２０は、ＯＡＤＭ装置で波長多重されたＷＤＭ信号を電気変換せずに増幅し中継する機能を有する。図３に示すように、中継装置２０は、光アンプ部２１Ｗ，２１Ｅと、ＯＳＣ部２２Ｗ，２２Ｅと、光レベルモニタ部２３Ｗ，２３Ｅと、制御部２４とを備える。なお、図３においても図２と同様に、Ｗｅｓｔ側に位置する構成要素に「Ｗ」を、Ｅａｓｔ側に位置するものに「Ｅ」を付してある。
【００２２】
光アンプ部２１Ｗ，２１Ｅは、ＷＤＭ信号を受信して増幅するとともに、ＷＤＭ信号を増幅して送信する機能を有する。ＯＳＣ部２２Ｗ，２２Ｅは、監視制御信号を隣接するノードと送受信する。光レベルモニタ部２３Ｗ，２３Ｅは、光アンプ部２１Ｗ，２１Ｅの送受信部に位置し、中継装置２０に入力されるＷＤＭ信号の光受信レベルおよび中継装置２０から出力されるＷＤＭ信号の光送信レベルを測定する。制御部２４は、中継装置２０の各部に対する設定制御や監視を実施し、監視制御信号を介して隣接ノードと監視制御用通信を行う。
【００２３】
図４は、ＯＡＤＭ装置の制御部の構成を説明するための図である。図４に示すように、ＯＡＤＭ装置１０の制御部１７は、記憶部４０と、取得部４１と、履歴保存部４２と、送信部４３とを備える。
【００２４】
記憶部４０は、光レベルモニタ部１６Ｗ，１６Ｅにより検出された光レベルを所定時間（例えば１秒）ごとに記憶する。また、送信部４３は、記憶部４０に記憶した自ノードの光レベル情報を、ＯＳＣ部１５Ｗ，１５Ｅを介して他ノード５０に送信する。
【００２５】
取得部４１は、他ノード５０から監視制御信号として送信されてくる光レベル情報を、ＯＳＣ部１５Ｗ，１５Ｅを介して取得する。この他ノード５０の光レベル情報は、取得部４１のメモリに記憶される。また、取得部４１は、隣接する一方の他ノードから取得した光レベル情報を、ＯＳＣ部１５Ｗ，１５Ｅを介して隣接する他方の他ノードに転送する。
【００２６】
履歴保存部４２は、トランスポンダ部１４Ｗ,１４Ｅにより光主信号の符号誤りが検出された場合に、記憶部４０および取得部４１に記憶された情報に基づいて、各ノードの光レベル情報を履歴として保存する。また、履歴保存部４２は、光レベル情報の履歴を保存した場合、上位の監視装置（図示せず）に対して警報を通知する。
【００２７】
上位の監視装置で警報通知を確認したネットワークの保守者は、警報通知元のＯＡＤＭ装置にアクセスし、履歴保存部４２に保存された履歴を参照して、障害箇所の特定作業を行うことができる。例えば、光レベル情報の履歴から大きな光レベル変動が発生したノードが分かれば、該ノードまたはその周辺の伝送路において障害が発生したと特定できる。
【００２８】
図４においては、ＯＡＤＭ装置１０における制御部１７の構成を説明したが、中継装置２０の制御部２４は、履歴保存部を備えていない点を除いて、ＯＡＤＭ装置１０の制御部とほぼ同様の構成を有する。
【００２９】
図５は、具体的な光レベル情報の転送例を説明するための図である。ここでは、第２ＯＡＤＭ装置１０ｂで測定された光レベル情報が他のノードに転送される例を説明する。
【００３０】
図６は、光レベル情報の具体例を示す図である。図６に示す光レベル情報は、（０）送信ノード名、（１）検出時刻、（２）Ｅａｓｔ側光アンプ部の光送信レベル、（３）Ｅａｓｔ側光アンプ部の光受信レベル、（４）Ｗｅｓｔ側光アンプ部の光送信レベル、（５）Ｗｅｓｔ側光アンプ部の光受信レベルを含む。このような光レベル情報は、例えば１秒ごとに第２ＯＡＤＭ装置１０ｂの記憶部４０に記憶される。
【００３１】
また、第２ＯＡＤＭ装置１０ｂの送信部４３は、記憶部４０に記憶した光レベル情報を隣接する他のノード、すなわち、第１ＯＡＤＭ装置１０ａおよび第３ＯＡＤＭ装置１０ｃに送信する。
【００３２】
図７は、他ノードから光レベル情報を受信したときの処理を説明するためのフローチャートである。図７に示すフローチャートは、所定の時間間隔で繰り返し実行される。
【００３３】
まず、制御部１７の取得部４１は、隣接するノードから光レベル情報を受信したか否か確認する（Ｓ１０）。受信していない場合（Ｓ１０のＮｏ）、処理を一旦終了する。一方、受信した場合（Ｓ１０のＹｅｓ）、送信元のノードと、光レベル情報の検出時刻を確認する（Ｓ１２）。
【００３４】
次に、取得部４１は、受信した光レベル情報が、自身に保存済の光レベル情報よりも新しい情報か否か確認する（Ｓ１４）。受信した光レベル情報が保存済の光レベル情報よりも古いか又は同じ情報の場合（Ｓ１４のＮｏ）、取得部４１は、受信した光レベル情報を廃棄する（Ｓ１６）。一方、受信した光レベル情報が保存済の光レベル情報よりも新しい情報の場合、（Ｓ１４のＹｅｓ）、取得部４１は、受信した光レベル情報を保存する（Ｓ１８）。その後、取得部４１は、受信した光レベル情報を隣接する他ノードに転送する（Ｓ２０）。以上のような処理を各ノードで行うことにより、各ノードの取得部４１は、他ノードの光レベル情報を蓄積することができる。
【００３５】
図７のフローチャートの処理を、図５の具体例で説明する。第２ＯＡＤＭ装置１０ｂの送信部は、所定時間ごとに自ノードの光レベル情報を隣接するノード、すなわち、第１ＯＡＤＭ装置１０ａと第３ＯＡＤＭ装置１０ｃに送信する。
【００３６】
第２ＯＡＤＭ装置１０ｂの光レベル情報を受けた第１ＯＡＤＭ装置１０ａの取得部は、これを保存するとともに、隣接するノードである中継装置２０に転送する。第２ＯＡＤＭ装置１０ｂの光レベル情報を受けた中継装置２０の取得部は、これを保存するとともに、隣接するノードである第３ＯＡＤＭ装置に転送する。ここで、第３ＯＡＤＭ装置１０ｃの取得部に既に第２ＯＡＤＭ装置１０ｂから直接送信された光レベル情報が保存されている場合、第３ＯＡＤＭ装置１０ｃの取得部は、中継装置２０から転送された第２ＯＡＤＭ装置１０ｂの光レベル情報を廃棄する。
【００３７】
以上のようにして、第２ＯＡＤＭ装置１０ｂの光レベル情報が、各ノードの取得部に保存される。第１ＯＡＤＭ装置１０ａ、第３ＯＡＤＭ装置１０ｃ、中継装置２０からそれぞれ所定時間ごとに送信される光レベル情報もまた、同じようにして各ノードの取得部に保存される。
【００３８】
図５に示す光伝送システム１００において、例えば第３ＯＡＤＭ装置１０ｃのトランスポンダ部において符号誤りが検出された場合、第３ＯＡＤＭ装置１０ｃの履歴保存部は、その時点で記憶部４０および取得部４１に保存されている情報に基づいて、各ノードの光レベル情報を履歴として保存する。
【００３９】
図８は、光レベル履歴の例を示す図である。図８には、一例として、第３ＯＡＤＭ装置１０ｃのトランスポンダ部において符号誤りが検出された場合に保存される光レベル履歴が図示されている。図８に示す光レベル履歴は、（１）エラー検出時刻、（２）検出エラー情報、（３）第１ＯＡＤＭ装置１０ａの光レベル情報、（４）第２ＯＡＤＭ装置１０ｂの光レベル情報、（５）第３ＯＡＤＭ装置１０ｃの光レベル情報、（６）中継装置２０の光レベル情報を含む。（２）検出エラー情報には、符号誤りが検出された箇所や発生／復旧の情報が含まれる。各ノードの光レベル情報には、Ｅａｓｔ側光アンプ部２１Ｅの光レベル情報およびＷｅｓｔ側光アンプ部２１Ｗの光レベル情報が含まれる。
【００４０】
また、第３ＯＡＤＭ装置１０ｃのトランスポンダ部において符号誤りが検出され、光レベル履歴が保存された場合、第３ＯＡＤＭ装置１０ｃの履歴保存部は、上位の監視装置に対して警報を通知する。ネットワークの保守者は、この警報を確認した場合、警報を発出した第３ＯＡＤＭ装置１０ｃの履歴保存部にアクセスし、保存された光レベル履歴を収集する。ネットワークの保守者は、光レベル履歴を参照することにより、各ノードの光レベルが規定の光レベル状態であったか否かを確認できる。例えばあるノードにおいて大きな光レベル変動があった場合、該ノードまたはその周辺の光伝送路に何らかの障害が発生したと特定できる。
【００４１】
このように、本実施形態に係る光伝送システム１００では、あるＯＡＤＭ装置１０において符号誤りが検出された場合に、該ＯＡＤＭ装置１０は、自ノードおよび他ノードの光レベル情報を履歴として保存する。ネットワークの保守者は、符号誤りが発生したＯＡＤＭ装置１０にアクセスするだけで、符号誤り発生時の各ノードの光レベル情報を一度に確認することができる。各ノードの光レベル情報を収集する作業は不要であるので、障害発生箇所の特定を迅速且つ容易に行うことができる。
【００４２】
履歴保存部４２は、符号誤り検出前後の所定期間における各ノードの光レベル情報を履歴として保存してもよい。この場合、符号誤り発生前後の光レベルの状態が確認できることから、瞬間的な光レベル変動により符号誤りが発生したのか、または継続的な光レベル変動により符号誤りが発生したのかを特定できる。また、ある程度の期間にわたって光レベル情報を確認することで、情報伝達の遅延が生じた場合でも障害発生箇所を特定することが可能となる。
【００４３】
以下、上記のような光レベル履歴を保存する処理について説明する。ここでは、一例として、第３ＯＡＤＭ装置１０ｃのトランスポンダ部において符号誤りが検出された場合における光レベル履歴の保存処理について説明する。図９は、第３ＯＡＤＭ装置１０ｃの取得部に保存された光レベル情報のデータ構成を示す。図９において、各光レベル情報は、図６に示すような光レベル情報を含む。
【００４４】
図９に示すように、第３ＯＡＤＭ装置１０ｃの取得部は、第１ＯＡＤＭ装置１０ａ、第２ＯＡＤＭ装置１０ｂ、中継装置２０のそれぞれについて、過去に受信した光レベル情報を複数件（図９では５件）分サイクリックに保持している。また、第３ＯＡＤＭ装置１０ｃの記憶部も、自ノードの光レベル情報を複数件（同様に５件）分サイクリックに保持している。
【００４５】
そして、第３ＯＡＤＭ装置１０ｃのトランスポンダ部において符号誤りが検出された場合、第３ＯＡＤＭ装置１０ｃの履歴保存部は、上位の監視装置に対して警報を通知するとともに、所定のウェイト時間（例えば２秒）の経過後に、取得部と記憶部に保存された情報に基づいて自ノードおよび他ノードの光レベル情報の履歴を作成し、保存する。これにより、符号誤り検出前後の所定期間における各ノードの光レベル情報を履歴として保存することができる。
【００４６】
図１０は、光レベル情報の別の具体例を示す図である。図１０に示す光レベル情報は、（０）送信ノード名、（１）検出時刻、（２）Ｅａｓｔ側光アンプ部の光送信レベル、（３）Ｅａｓｔ側光アンプ部の最小光送信レベル、（４）Ｅａｓｔ側光アンプ部の最大光送信レベル、（５）Ｅａｓｔ側光アンプ部の光受信レベル、（６）Ｅａｓｔ側光アンプ部の最小光受信レベル、（７）Ｅａｓｔ側光アンプ部の最大光受信レベル、（８）Ｗｅｓｔ側光アンプ部の光送信レベル、（９）Ｗｅｓｔ側光アンプ部の最大光送信レベル、（１０）Ｗｅｓｔ側光アンプ部の最小光送信レベル、（１１）Ｗｅｓｔ側光アンプ部の光受信レベル、（１２）Ｗｅｓｔ側光アンプ部の最小光受信レベル、（１３）Ｗｅｓｔ側光アンプ部の最大光受信レベルを含む。図１０に示すように、光レベル情報は、検出時刻における光レベルだけでなく、検出周期の間における光レベルの最大値および最小値を含んでもよい。
【００４７】
図１０に示すような光レベル情報は、所定時間（例えば２秒）ごとに各ノードの記憶部に記憶され、また、送信部により他ノードに送信される。図１０のような光レベル情報を用いて履歴を作成することにより、瞬間的な光レベル変動に対しても障害解析が可能となる。
【００４８】
上述の実施形態においては、各ノードの送信部は、自ノードの光レベル情報を所定時間ごとに常に他ノードに送信している。しかしながら、各ノードの送信部は、他ノードから送信要求があった場合に光レベル情報を送信してもよい。
【００４９】
より詳細に説明すると、各ノードの記憶部は、光レベルモニタ部により測定された光レベルを所定時間ごとに記憶するが、送信部は該光レベル情報をすぐに他ノードに送信しない。そして、たとえばあるノードにおいて光主信号の符号誤りが検出された場合、該ノードの取得部は、他ノードに対して光レベル情報を要求する。要求を受けた他ノードの送信部は、要求したノードの取得部に自ノードの光レベル情報を送信する。符号誤りが検出されたノードの履歴保存部は、このようにして取得した他ノードの光レベル情報を用いて、光レベル履歴を保存する。このような構成とすることで、符号誤りが発生していない通常の運用時には不要な情報の転送が行われないので、ＯＳＣ回線や装置の負荷を低減することができる。
【００５０】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５１】
上述の実施形態では、リングネットワークを構成する全てのノードに関して光レベル情報を取得するよう構成したが、選択した一部のノードに関する光レベル情報を取得し、履歴情報を作成するように構成してもよい。また、取得した光レベル情報の全てを用いて履歴情報を作成してもよいし、一部の光レベル情報を用いて履歴情報を作成してもよい。
【００５２】
また、上記においては、本発明の実施形態としてリングネットワークを説明したが、本発明はリングネットワークに限られず、例えばメッシュネットワーク等にも適用可能である。
【符号の説明】
【００５３】
１０  ＯＡＤＭ装置、  １７、２４  制御部、  ２０  中継装置、  ３０  光伝送路、  ４０  記憶部、  ４１  取得部、  ４２  履歴保存部、  ４２  履歴保存部、  ４３  送信部、  １００  光伝送システム。
【図１】
0005483715.tif 000002
【図２】
0005483715.tif 000003
【図３】
0005483715.tif 000004
【図４】
0005483715.tif 000005
【図５】
0005483715.tif 000006
【図６】
0005483715.tif 000007
【図７】
0005483715.tif 000008
【図８】
0005483715.tif 000009
【図９】
0005483715.tif 000010
【図１０】
0005483715.tif 000011